(57)【特許請求の範囲】
【請求項１】
並んで配置された複数の蓄電素子を含む第１蓄電スタックと、
並んで配置された複数の蓄電素子をそれぞれ含んでおり、前記第１蓄電スタックの下方において、前記第１蓄電スタックに沿って並んで配置された複数の第２蓄電スタックと、
前記第１蓄電スタックおよび前記複数の第２蓄電スタックを収容するケースと、
前記第１蓄電スタックおよび前記複数の第２蓄電スタックの間に配置されて前記第１蓄電スタックを支持しており、前記ケースに固定される支持部材と、を有し、
前記ケースは、絶縁性を有する材料で形成された内壁面と、前記ケースの外面に露出し、金属で形成された補強フレームとを有しており、
前記支持部材は、金属で形成されており、前記内壁面を貫通して前記補強フレームに接触していることを特徴とする蓄電装置。
【請求項２】
並んで配置された複数の蓄電素子を含む第１蓄電スタックと、
並んで配置された複数の蓄電素子をそれぞれ含んでおり、前記第１蓄電スタックの下方において、前記第１蓄電スタックに沿って並んで配置された複数の第２蓄電スタックと、
前記第１蓄電スタックおよび前記複数の第２蓄電スタックを収容するケースと、
前記第１蓄電スタックおよび前記複数の第２蓄電スタックの間に配置されて前記第１蓄電スタックを支持しており、前記ケースに固定される支持部材と、
前記ケースの補強に用いられ、前記ケースの外側に露出した状態で前記支持部材に接続されており、前記支持部材からの熱を前記ケースの外側に向かって放出させる補強フレームと、
を有することを特徴とする蓄電装置。
【請求項３】
前記第１蓄電スタックおよび前記第２蓄電スタックの充放電に用いられ、シールド線を含むワイヤーハーネスを有しており、
前記シールド線は、前記支持部材のうち、前記補強フレームとの接触部分とは異なる部分に接続されていることを特徴とする請求項１又は２に記載の蓄電装置。
【請求項４】
前記補強フレームは、隣り合う２つの前記第２蓄電スタックの間に位置していることを特徴とする請求項１から３のいずれか１つに記載の蓄電装置。
【請求項５】
前記第１蓄電スタックおよび前記複数の第２蓄電スタックを上方から見たときに、前記第１蓄電スタックおよび前記各第２蓄電スタックは、互いに直交する方向に沿ってそれぞれ配置されていることを特徴とする請求項１から４のいずれか１つに記載の蓄電装置。
【請求項６】
請求項１から５のいずれか１つに記載の蓄電装置と、
前記蓄電装置からの電力を受けて、車両を走行させる運動エネルギを生成するモータ・ジェネレータと、
を有することを特徴とする車両。
【発明の詳細な説明】
【技術分野】
【０００１】
本発明は、複数の蓄電素子で構成された蓄電スタックを複数備えた蓄電装置に関するものである。
【背景技術】
【０００２】
車両等には、複数の電池スタックが搭載されることがある。電池スタックは、複数の単電池を一方向に並べることによって構成されており、車両の走行に用いられるエネルギを出力する。また、複数の電池スタックは、ケース内に並んで配置されている。
【先行技術文献】
【特許文献】
【０００３】
【特許文献１】特開２００９−１８１８９６号公報
【発明の概要】
【発明が解決しようとする課題】
【０００４】
複数の電池スタックを並べて配置するときには、隣り合って配置された２つの電池スタックの間に熱が留まってしまうことがある。熱が留まると、単電池の入出力特性にも悪影響を与えてしまうおそれがある。
【課題を解決するための手段】
【０００５】
本発明（本願第１および第２の発明）である蓄電装置は、第１蓄電スタックと、複数の第２蓄電スタックと、第１蓄電スタックおよび複数の第２蓄電スタックを収容するケースとを有する。第１蓄電スタックおよび各第２蓄電スタックは、並んで配置された複数の蓄電素子を含んでおり、複数の第２蓄電スタックは、第１蓄電スタックの下方において、第１蓄電スタックに沿って並んで配置されている。第１蓄電スタックを支持する支持部材は、第１蓄電スタックおよび複数の第２蓄電スタックの間に配置されているとともに、ケースに固定されている。
【０００６】
本願第１の発明において、ケースは、絶縁性を有する材料で形成された内壁面と、金属で形成された補強フレームとで構成されている。そして、支持部材を金属で形成し、支持部材を、内壁面を貫通させて補強フレームに接触させている。絶縁性を有する材料としては、例えば、樹脂を用いることができる。ケースの内壁面が樹脂で形成されていると、ケースの内部の熱をケースの外部に逃がしにくくなってしまう。そこで、金属製の支持部材を、ケースの内壁面を貫通させて、金属製の補強フレームに接触させることにより、ケースの内部の熱を、支持部材から補強フレームに伝達させて、ケースの外部に逃がすことができる。本願第２の発明では、ケースの補強に用いられる補強フレームが、ケースの外側に露出した状態で支持部材に接続されており、支持部材からの熱をケースの外側に向かって放出させる。
【０００７】
シールド線を含むワイヤーハーネスを用いる場合において、支持部材のうち、補強フレームとの接触部分とは異なる部分に、シールド線を接続することができる。これにより、金属製の支持部材や補強フレームを用いて、シールド線を接地することができる。また、支持部材や補強フレームを用いることにより、シールド線を短くすることができる。ここで、ワイヤーハーネスは、第１蓄電スタックおよび第２蓄電スタックの充放電を行うためのケーブルとして用いることができる。
【０００８】
ここで、隣り合う２つの第２蓄電スタックの間に、補強フレームを位置させることができる。この構成によれば、補強フレームおよび支持部材の接触部分が、隣り合う２つの第２蓄電スタックの間に位置することになる。隣り合う２つの第２蓄電スタックの間に形成されたスペースは、熱が留まりやすいため、このスペースに、補強フレームおよび支持部材の接触部分を位置させれば、補強フレームに効率良く熱を伝達させることができる。
【０００９】
なお、第１蓄電スタックおよび第２蓄電スタックを上方から見たときに、第１蓄電スタックおよび第２蓄電スタックは、互いに直交する方向に沿ってそれぞれ配置することができる。
【００１０】
本発明の蓄電装置は、車両に搭載することができる。ここで、蓄電装置の電力をモータ・ジェネレータに供給することにより、車両を走行させるための運動エネルギを生成することができる。また、モータ・ジェネレータは、車両の回生時に発生した運動エネルギを電気エネルギに変換することができ、この電気エネルギは、蓄電装置に蓄えておくことができる。
【発明の効果】
【００１１】
本発明では、第１蓄電スタックを支持する支持部材を、第１蓄電スタックおよび第２蓄電スタックの間に配置するとともに、ケースに固定している。ここで、第１蓄電スタックおよび第２蓄電スタックの間に形成されたスペースに熱が留まるときには、支持部材を介してケースに熱を伝達させることができる。したがって、第１蓄電スタックおよび第２蓄電スタックの間に熱が留まったままとなるのを防止することができ、第１蓄電スタックや第２蓄電スタックの温度上昇を抑制することができる。
【図面の簡単な説明】
【００１２】
【図１】電池パックを備えた車両の側面図である。
【図２】電池パックの外観図である。
【図３】電池パックおよびフロアパネルを車両の前方から見たときの概略図である。
【図４】電池パックの分解図である。
【図５】ロアーケースの分解図である。
【図６】電池スタックの分解図である。
【図７】電池スタックの固定構造を示す外観図である。
【図８】電池パックの内部構造を説明する外観図である。
【図９】電池パックの内部構造を説明する外観図である。
【図１０】電池パックの内部構造を説明する外観図である。
【図１１】台座を固定する構造を示す上面図である。
【図１２】電池パックの回路構成を示す図である。
【図１３】電池パックの内部構造を示す側面図である。
【図１４】電池スタックにおける空気の移動経路を説明する図である。
【図１５】電池スタックにおける空気の移動経路を説明する図である。
【発明を実施するための形態】
【００１３】
以下、本発明の実施例について説明する。
【実施例１】
【００１４】
本発明の実施例１である電池パック（蓄電装置に相当する）について説明する。まず、本実施例の電池パックを備えた車両について、図１を用いて説明する。図１は、車両の側面図であり、電池パックと、電池パックの温度を調節する機構とを主に示している。図１に示す矢印ＵＰは、車両の上方向を示し、矢印ＦＲは、車両の前進方向を示す。
【００１５】
本実施例の車両１００は、フロアパネル１０１を有しており、フロアパネル１０１の下面には、電池パック１が取り付けられている。フロアパネル１０１の上面は、車室の一部を形成しているため、電池パック１は、車室の外に配置される。車室とは、乗員が乗車するスペースである。フロアパネル１０１は、車両１００のボディの一部である。
【００１６】
電池パック１が搭載される車両１００としては、ハイブリッド自動車や電気自動車がある。ハイブリッド自動車は、車両１００を走行させる動力源として、電池パック１の他に、内燃機関又は燃料電池を備えた車両である。電気自動車は、車両１００の動力源として、電池パック１だけを備えた車両である。
【００１７】
電池パック１は、モータ・ジェネレータ（図示せず）に接続されており、モータ・ジェネレータは、電池パック１の出力を受けて、車両１００を走行させるための運動エネルギを生成する。モータ・ジェネレータの回転力は、動力伝達機構を介して、車輪に伝達される。
【００１８】
電池パック１およびモータ・ジェネレータの間に、昇圧回路やインバータを配置することができる。昇圧回路を配置すれば、電池パック１の出力電圧を昇圧することができる。インバータを用いれば、電池パック１から出力された直流電力を交流電力に変換でき、モータ・ジェネレータとして、三相交流モータを用いることができる。モータ・ジェネレータは、車両１００の制動時に発生する運動エネルギを電気エネルギに変換し、電池パック１に出力する。電池パック１は、モータ・ジェネレータからの電力を蓄える。
【００１９】
電池パック１には、吸気ダクト１０２が接続されており、吸気ダクト１０２は、電池パック１よりも車両１００の前方に配置されている。吸気ダクト１０２の一端には、吸気口１０２ａが設けられており、吸気口１０２ａから空気が取り込まれる。吸気ダクト１０２の他端１０２ｂは、電池パック１に接続されている。
【００２０】
ブロワ１０３は、吸気ダクト１０２に設けられており、ブロワ１０３を駆動することにより、吸気ダクト１０２の吸気口１０２ａから電池パック１に向けて空気が移動する。本実施例では、ブロワ１０３を吸気ダクト１０２に設けているが、これに限るものではない。吸気ダクト１０２の吸気口１０２ａから電池パック１に向けて空気が流れればよく、例えば、後述する排気ダクト１０６にブロワ１０３を設けることもできる。
【００２１】
エアクリーナ１０４は、吸気ダクト１０２に設けられており、吸気ダクト１０２の吸気口１０２ａから取り込まれた空気を浄化する。具体的には、エアクリーナ１０４は、フィルタを用いて、空気に含まれる異物を除去する。ブロワ１０３およびエアクリーナ１０４は、ダッシュボード１０５よりも車両１００の前方に設けられたスペースに配置されている。このスペースは、車両１００がエンジンを備えた自動車であれば、エンジンルームに相当する。
【００２２】
吸気ダクト１０２から電池パック１に導かれた空気は、電池パック１の内部を通過した後に、排気ダクト１０６に進入する。電池パック１の内部を空気が通過することにより、電池パック１の温度を調節することができる。例えば、空気が電池パック１の熱を奪うことにより、電池パック１を冷却することができる。電池パック１の内部における空気の流れについては、後述する。
【００２３】
排気ダクト１０６の一端１０６ａは、電池パック１に接続されている。排気ダクト１０６の他端には、排気口１０６ｂが形成されている。排気ダクト１０６の他端側は、リアバンパケース１０７の内側に配置されている。排気口１０６ｂから排出された空気は、リアバンパケース１０７の内側に形成されたスペースに移動する。
【００２４】
次に、電池パック１の構成について説明する。図２は、電池パック１の外観図である。図３は、電池パック１およびフロアパネル１０１を車両１００の前方から見たときの概略図である。図４は、電池パック１の分解図である。図２に示す矢印ＲＨは、車両１００の前進方向ＦＲを向いたときの右方向を示し、図４に示す矢印ＬＨは、車両１００の前進方向ＦＲを向いたときの左方向を示す。
【００２５】
電池パック１は、５つの電池スタック（蓄電スタックに相当する）１１〜１５と、電池スタック１１〜１５を収容するパックケース２０とを有する。パックケース２０の外縁には、複数の締結部２０ａが設けられており、締結部２０ａは、電池パック１をフロアパネル１０１に固定するために用いられる。
【００２６】
パックケース２０の上面には、突起部２０ｂが形成されている。突起部２０ｂは、上方に向かって突出しているとともに、車両１００の前後方向に延びている。図３に示すように、パックケース２０の上面は、フロアパネル１０１に沿って配置される。フロアパネル１０１は、センタートンネル１０１ａを有している。
【００２７】
センタートンネル１０１ａは、上方に向かって突出しているとともに、車両１００の前後方向に延びている。センタートンネル１０１ａは、車両１００の左右方向において、運転席および助手席の間に設けられている。センタートンネル１０１ａの内側には、パックケース２０の突起部２０ｂが位置している。パックケース２０の上面には、開口部２０ｃが形成されており、開口部２０ｃは、後述する電流遮断器を通すために設けられている。
【００２８】
図４に示すように、電池パック１は、５つの電池スタック１１〜１５を有しており、電池スタック１１〜１５は、アッパーケース２１およびロアーケース２２によって覆われている。アッパーケース２１は、複数のボルト２３によって、ロアーケース２２に固定される。アッパーケース２１は、例えば、ガラス繊維を含む樹脂を用いて形成することができる。
【００２９】
電池スタック１１〜１４は、車両１００の左右方向に延びており、４つの電池スタック１１〜１４は、車両１００の前後方向に並んでいる。４つの電池スタック１１〜１４（第２蓄電スタックに相当する）の上方には、電池スタック（第１蓄電スタックに相当する）１５が配置されており、電池スタック１５は、車両１００の前後方向に延びている。電池スタック１５は、パックケース２０の突起部２０ｂに対応した位置に配置される。すなわち、電池スタック１５は、センタートンネル１０１ａの内側に位置している。
【００３０】
ロアーケース２２は、図５に示すように、ロアキャリア２２１およびフレーム（補強フレームに相当する）２２２を有する。電池スタック１１〜１５は、ロアキャリア２２１に固定される。ロアキャリア２２１は、複数のボルト２４によってフレーム２２２に固定される。ロアキャリア２２１は、例えば、ガラス繊維を含む樹脂を用いて形成することができる。フレーム２２２は、ロアーケース２２の外面に露出しており、鉄といった金属を用いて形成することができる。フレーム２２２は、ロアーケース２２の強度を確保するために用いられ、車両１００の左右方向に延びるリンフォースメント２２２ａ，２２２ｂを有する。フレーム２２２は、フロアパネル１０１に固定される。
【００３１】
次に、各電池スタック１１〜１５の構成について説明する。図６は、電池スタック１１の分解図である。電池スタック１１は、一方向に並んで配置された複数の単電池（蓄電素子に相当する）１１１を有する。単電池１１１としては、いわゆる角型の単電池を用いている。本実施例では、各電池スタック１１〜１５を構成する単電池の数が互いに異なっている。
【００３２】
電池スタック１１〜１５を構成する単電池の数は、適宜設定することができる。本実施例では、ロアーケース２２の形状に基づいて、電池スタック１１〜１５を構成する単電池の数を設定している。また、隣り合う２つの単電池１１１の間には、仕切り板が配置されている。仕切り板は、絶縁性を有する材料（例えば、樹脂）で形成されており、単電池１１１の表面に空間を形成するために用いられる。
【００３３】
単電池１１１としては、ニッケル水素電池やリチウムイオン電池といった二次電池を用いることができる。また、二次電池の代わりに、電気二重層キャパシタ（コンデンサ）を用いることもできる。本実施例の電池スタック１１〜１５では、複数の単電池を一方向に並べているが、これに限るものではない。具体的には、複数の単電池を用いて１つの電池モジュールを構成し、複数の電池モジュールを一方向に並べることもできる。
【００３４】
単電池１１１の内部には、発電要素が収容されている。発電要素は、充放電を行うことができる要素である。発電要素は、例えば、正極素子と、負極素子と、正極素子および負極素子の間に配置されるセパレータ（電解液を含む）とで構成することができる。正極素子は、集電板の表面に正極活物質層を形成したものである。負極素子は、集電板の表面に負極活物質層を形成したものである。
【００３５】
単電池１１１の上面には、正極端子１１１ａおよび負極端子１１１ｂが設けられている。正極端子１１１ａは、発電要素の正極素子と電気的に接続されている。負極端子１１１ｂは、発電要素の負極素子と電気的に接続されている。隣り合う２つの単電池１１１は、バスバーによって電気的に接続される。
【００３６】
本実施例では、複数のバスバーが一体的に構成されたバスバーモジュール１１０を用いている。バスバーモジュール１１０は、電池スタック１１の上面に配置される。バスバーモジュール１１０は、複数のバスバーと、各バスバーを保持するホルダとを有する。ホルダは、絶縁性を有する材料（例えば、樹脂）で形成されている。各バスバーは、絶縁性を有するカバー（例えば、樹脂製のカバー）で覆うことができ、カバーは、ホルダに取り付けることができる。
【００３７】
電池スタック１１の両端には、一対のエンドプレート１１２が配置されている。拘束バンド１１３は、複数の単電池１１１の配列方向に延びており、拘束バンド１１３の両端部が一対のエンドプレート１１２に固定されている。電池スタック１１の上面には、２つの拘束バンド１１３が配置され、電池スタック１１の下面にも、２つの拘束バンド１１３が配置されている。
【００３８】
拘束バンド１１３をエンドプレート１１２に固定することにより、一対のエンドプレート１１２は、互いに近づく方向に変位する。これにより、一対のエンドプレート１１２によって挟まれた複数の単電池１１１に対して、拘束力を与えることができる。隣り合う２つの単電池１１１の間には、スペーサが配置されており、隣り合う２つの単電池１１１の間には、空気が進入することができる。
【００３９】
吸気チャンバ１１４および排気チャンバ１１５は、電池スタック１１の両側面に配置される。具体的には、吸気チャンバ１１４および排気チャンバ１１５は、複数の単電池１１１の配列方向と直交する方向において、複数の単電池１１１を挟む位置に配置される。吸気チャンバ１１４は、接続口１１４ａを有しており、接続口１１４ａには、吸気ダクト１０２からの空気が進入する。吸気チャンバ１１４の内側に移動した空気は、隣り合う２つの単電池１１１の間に形成されたスペースに進入する。空気は、吸気チャンバ１１４から排気チャンバ１１５に向かって移動する。
【００４０】
空気および単電池１１１の間で熱交換が行われることにより、単電池１１１の温度を調節することができる。単電池１１１が充放電によって発熱しているときには、空気が単電池１１１の熱を奪うことにより、単電池１１１の温度上昇を抑制することができる。２つの単電池１１１の間を通過した空気は、排気チャンバ１１５に移動する。排気チャンバ１１５の両端には、排気口１１５ａが設けられており、熱交換後の空気は、排気口１１５ａから排出される。排気口１１５ａから排出された空気は、アッパーケース２１およびロアーケース２２の間に形成されたスペースに移動する。
【００４１】
電池スタック１２〜１５の構成は、基本的には、電池スタック１１の構成と同様である。ただし、電池スタック１１〜１５を構成する単電池の数は、互いに異なる。ここで、各電池スタック１１〜１４を構成する複数の単電池は、車両１００の左右方向に並んでおり、電池スタック１５を構成する複数の単電池は、車両１００の前後方向に並んでいる。
【００４２】
図７に示すように、電池スタック１１のエンドプレート１１２には、ボルト１１７によって、ブラケット１１６が固定される。ブラケット１１６は、図８に示すように、ボルト１１８によってロアーケース２２に固定される。これにより、電池スタック１１は、ロアーケース２２に固定される。
【００４３】
ブラケット１２０は、電池スタック１２をロアーケース２２に固定するために用いられる。具体的には、ブラケット１２０は、電池スタック１２の一対のエンドプレートに固定されるとともに、ロアーケース２２に固定される。ブラケット１３０は、電池スタック１３をロアーケース２２に固定するために用いられる。
【００４４】
具体的には、ブラケット１３０は、電池スタック１３の一対のエンドプレートに固定されるとともに、ロアーケース２２に固定される。ブラケット１４０は、電池スタック１４をロアーケース２２に固定するために用いられる。具体的には、ブラケット１４０は、電池スタック１４の一対のエンドプレートに固定されるとともに、ロアーケース２２に固定される。電池スタック１１〜１４は、ブラケット１１６，１２０，１３０，１４０だけでなく、ブラケット３０（図１０参照）も用いてロアーケース２２に固定される。
【００４５】
ロアーケース２２は、２つのリブ２２ａ，２２ｂを有する。リブ２２ａ，２２ｂは、上方に向かって突出しているとともに、車両１００の左右方向に延びている。リブ２２ａ，２２ｂは、図５に示すフレーム２２２の一部（リンフォースメント２２２ａ，２２２ｂ）によって構成されている。リブ２２ａよりも車両１００の前方に位置する第１領域Ｓ１には、電池スタック１２が搭載される。リブ２２ａおよびリブ２２ｂの間に位置する第２領域Ｓ２には、電池スタック１１が搭載される。リブ２２ｂよりも車両１００の後方に位置する第３領域Ｓ３には、電池スタック１３，１４が搭載される。
【００４６】
図９に示すように、吸気ダクト１０２には、４つの分岐ダクト５１〜５４が接続されている。図９は、分岐ダクト５１〜５４の配置を示す図である。吸気ダクト１０２からの空気は、４つの分岐ダクト５１〜５４に移動する。
【００４７】
分岐ダクト５１の接続口は、電池スタック１１に設けられた吸気チャンバ１１４の接続口１１４ａと接続している。分岐ダクト５１は、電池スタック１１のうち、車両１００の前方側に位置する側面に接続されている。分岐ダクト５１の空気は、電池スタック１１の単電池１１１に供給される。分岐ダクト５２の接続口５２ａは、電池スタック１２の吸気チャンバと接続されており、分岐ダクト５２の空気は、電池スタック１２の単電池に供給される。分岐ダクト５２は、電池スタック１２のうち、車両１００の前方側に位置する側面に接続されている。
【００４８】
分岐ダクト５３の接続口５３ａは、電池スタック１３の吸気チャンバと接続されており、分岐ダクト５３の空気は、電池スタック１３の単電池に供給される。分岐ダクト５３は、電池スタック１３のうち、車両１００の前方側に位置する側面に接続されている。分岐ダクト５４の接続口５４ａは、電池スタック１４の吸気チャンバと接続されており、分岐ダクト５４の空気は、電池スタック１４の単電池に供給される。分岐ダクト５４は、電池スタック１２のうち、車両１００の後方側に位置する側面に接続されている。
【００４９】
図９に示すように、吸気ダクト１０２の下方には、電子機器６０が配置されている。電子機器６０は、ロアーケース２２に固定されている。電子機器６０は、電池スタック１１〜１５の充放電を制御するために用いられる機器である。電子機器６０としては、例えば、システムメインリレーやレジスタがある。システムメインリレーは、電池スタック１１〜１５の充放電を許容したり、禁止したりする。システムメインリレーやレジスタは、ジャンクションボックスに取り付けられる。
【００５０】
図１０に示すように、分岐ダクト５１〜５４の上面には、鉄などの金属で形成された台座（支持部材の一部に相当する）８０が配置される。台座８０は、吸気ダクト１０２の一部の上面にも位置している。上方から見たときに、台座８０および分岐ダクト５１〜５４は、互いに重なっている。台座８０は、ブラケット（不図示）によってロアーケース２２に固定される。これにより、分岐ダクト５１〜５４の上面において、台座８０を位置決めすることができる。
【００５１】
台座８０をロアーケース２２に固定する構造は、適宜設定することができる。すなわち、台座８０が分岐ダクト５１〜５４の上方で固定されていればよい。本実施例では、台座８０およびブラケットを別体で構成しているが、台座８０およびブラケットを一体的に構成することもできる。
【００５２】
台座８０の上面には、複数のスタッドボルト８１が設けられている。台座８０の上面には、電池スタック１５が配置される。電池スタック１５は、複数の単電池１５１を有し、複数の単電池１５１は、一方向（車両１００の前後方向）に並んでいる。
【００５３】
電池スタック１５の両端には、一対のエンドプレート１５２が配置されている。拘束バンド１５３は、車両１００の前後方向に延びており、拘束バンド１５３の両端は、一対のエンドプレート１５２に固定される。電池スタック１５の上面には、２つの拘束バンド１５３が配置され、電池スタック１５の下面には、２つの拘束バンド１５３が配置されている。拘束バンド１５３およびエンドプレート１５２を用いることにより、複数の単電池１５１に対して拘束力を与えることができる。
【００５４】
２つのブラケット１５６，１５８は、ボルト１５９ａによって、各エンドプレート１５２に固定される。台座８０のスタッドボルト８１は、ブラケット１５６，１５８を貫通して、ナット１５９ｂと噛み合う。
【００５５】
電池スタック１５の両側面には、吸気チャンバ１５４および排気チャンバ１５５が配置されている。吸気チャンバ１５４は、複数の単電池１５１の配列方向に延びており、吸気チャンバ１５４の一端には、接続口１５４ａが設けられている。吸気チャンバ１５４の他端は、塞がれている。排気チャンバ１５５は、複数の単電池１５１の配列方向に延びており、排気チャンバ１５５の一端には、排気口１５５ａが設けられている。排気チャンバ１５５の他端は、塞がれている。接続口１５４ａは、車両１００の前後方向における電池スタック１５の一端に設けられ、排気口１５５ａは、車両１００の前後方向における電池スタック１５の他端に設けられている。接続口１５４ａは、吸気ダクト１０２と接続され、吸気ダクト１０２からの空気が吸気チャンバ１５４に進入する。
【００５６】
一方、図１１に示すように、台座８０は、複数のブラケット（支持部材の一部に相当する）８２ａ〜８２ｃを用いて、ロアーケース２２に固定される。ブラケット８２ａ〜８２ｃは、鉄などの金属で形成されている。ブラケット８２ａは、ロアーケース２２のロアキャリア２２１に接触しており、２つのブラケット８２ａの一方には、電子機器６０に含まれるシールド線６１（ワイヤーハーネス７０に含まれるシールド線）が接続されている。
【００５７】
ワイヤーハーネス７０は、電池スタック１１〜１５の充放電に用いられており、ノイズを遮断するためのシールド線６１を含んでいる。シールド線６１およびブラケット８２ａは、同一の締結部材を用いてロアーケース２２に固定されている。ブラケット８２ｂは、ロアーケース２２のリブ２２ａ（図８参照）に固定されており、ブラケット８２ｃは、ロアーケース２２のリブ２２ｂ（図８参照）に固定されている。
【００５８】
ブラケット８２ｂは、ロアーケース２２のロアキャリア２２１を貫通して、フレーム２２２のリンフォースメント２２２ａ（図５参照）と接触している。また、ブラケット８２ｃは、ロアーケース２２のロアキャリア２２１を貫通して、フレーム２２２のリンフォースメント２２２ｂ（図５参照）と接触している。
【００５９】
ブラケット１５７は、複数の単電池１５１の配列方向に延びており、電池スタック１５のＬＨ側の面に固定されている。台座８０のスタッドボルト８１は、ブラケット１５７を貫通して、ナット１５９ｂと噛み合う。図１０には示していないが、電池スタック１５のＲＨ側の面にも、ブラケット１５７が固定されている。３種類のブラケット１５６〜１５８を用いることにより、電池スタック１５が台座８０に固定される。電池スタック１５の上面には、図６で説明したように、バスバーモジュールが配置される。
【００６０】
電池スタック１２〜１４は、ブラケット３０によって、ロアーケース２２に押し付けられている。ブラケット３０の形状は、電池スタック１２〜１４に応じて異なっている。５つの電池スタック１１〜１５は、ワイヤーハーネス７０を介して電気的に接続されている。ロアーケース２２の側壁には、開口部２２ｃが形成されており、開口部２２ｃは、電池スタック１１〜１５および負荷を接続するケーブルを通過させるために設けられている。
【００６１】
２つの電池監視ユニット４０の一方には、電流遮断器７１が固定されている。電流遮断器７１は、電池スタック１１〜１５の電流経路を遮断するために用いられる。電流遮断器７１は、プラグと、プラグに差し込まれるグリップとで構成されており、グリップをプラグから抜くことにより、電流経路を遮断することができる。
【００６２】
電流遮断器７１は、パックケース２０の開口部２０ｃ（図２参照）を貫通するとともに、フロアパネル１０１に形成された開口部を貫通している。これにより、電流遮断器７１は、車室内に突出しており、作業者は車室内で電流遮断器７１を操作することができる。電流遮断器７１は、シートクッションの下方に形成されたスペースに位置させることができる。また、パックケース２０の開口部２０ｃおよびフロアパネル１０１の間の密閉性を確保するために、シール部材を用いることができる。
【００６３】
次に、電池パック１の回路構成について、図１２を用いて説明する。
【００６４】
本実施例では、５つの電池スタック１１〜１５を用いて、２つの組電池９１，９２を構成しており、組電池９１，９２は、電気的に並列に接続している。組電池９１，９２を構成する単電池の数は、互いに等しい。組電池９１，９２は、負荷に接続されている。負荷としては、例えば、モータ・ジェネレータ、昇圧回路、インバータがある。
【００６５】
図１０に示す２つの電池監視ユニット４０の一方は、組電池９１の状態を監視するために用いられ、他方の電池監視ユニット４０は、組電池９２の状態を監視するために用いられる。組電池９１，９２の状態には、電流、電圧、温度が含まれる。電圧には、各組電池９１，９２の電圧、単電池の電圧、組電池９１，９２を構成する複数の単電池を複数のブロックに分けたときの電圧が含まれる。各ブロックには、２つ以上の単電池が含まれる。温度には、各組電池９１，９２を１箇所又は複数箇所で測定したときの温度が含まれる。
【００６６】
電池監視ユニット４０で監視される電流、電圧および温度は、電池スタック１１〜１５の充放電を制御するために用いられる。例えば、電流等は、電池スタック１１〜１５のＳＯＣを推定するために用いたり、電池スタック１１〜１５の劣化状態を推定するために用いたりする。また、電圧等は、電池スタック１１〜１５の過充電や過放電を抑制するために用いられる。
【００６７】
組電池９１は、２つの電池スタック１１，１５と、電池スタック１３の一部とで構成されており、電池スタック１１，１５，１３の単電池は電気的に直列に接続されている。組電池９２は、２つの電池スタック１２，１４と、電池スタック１３の一部とで構成されており、電池スタック１２，１４，１３の単電池は電気的に直列に接続されている。
【００６８】
各電池スタック１１〜１５には、ヒューズ７２が設けられている。電池スタック１１および電池スタック１５の間には、電流遮断器７１が設けられており、電池スタック１２および電池スタック１４の間には、電流遮断器７１が設けられている。２つの電流遮断器７１は、一体的に構成されており、電流遮断器７１のグリップを引き抜くことにより、各組電池９１，９２の電流経路を同時に遮断することができる。
【００６９】
組電池９１のプラス端子には、システムメインリレーＳＭＲ＿Ｂ１が接続されており、組電池９２のプラス端子には、システムメインリレーＳＭＲ＿Ｂ２が接続されている。組電池９１，９２のマイナス端子には、システムメインリレーＳＭＲ＿Ｇが接続されている。システムメインリレーＳＭＲ＿Ｐおよび抵抗７３は、システムメインリレーＳＭＲ＿Ｇと並列に接続されている。システムメインリレーＳＭＲ＿Ｂ１，Ｂ２，Ｇ，Ｐは、上述した電子機器６０に含まれる。
【００７０】
組電池９１，９２および負荷を電気的に接続するためには、まず、システムメインリレーＳＭＲ＿Ｂ１，Ｂ２およびシステムメインリレーＳＭＲ＿Ｐを、オフからオンに切り替える。次に、システムメインリレーＳＭＲ＿Ｇをオフからオンに切り替えた後に、システムメインリレーＳＭＲ＿Ｐをオンからオフに切り替える。これにより、組電池９１，９２の充放電を行うことができる。一方、組電池９１，９２を、直流電源又は交流電源と接続することにより、組電池９１，９２の充電を行うことができる。
【００７１】
次に、電池パック１に供給される空気の流れについて、図１３〜図１５を用いて説明する。
【００７２】
図１３に示すように、吸気ダクト１０２からの空気は、電池スタック１５に導かれるとともに、分岐ダクト５１〜５４を通過して電池スタック１１〜１４に導かれる。空気が電池スタック１５に移動すると、図１４の矢印で示すように、空気は、吸気チャンバ１５４に沿って移動するとともに、隣り合う２つの単電池１５１の間に形成されたスペースに進入する。空気および単電池１５１の間で熱交換が行われることにより、単電池１５１の温度が調節される。
【００７３】
電池スタック１５に導かれた空気は、吸気チャンバ１５４から排気チャンバ１５５に向かって移動する。熱交換後の空気は、排気チャンバ１５５に移動し、排気チャンバ１５５の排気口１５５ａから排出される。排気口１５５ａから排出された空気は、アッパーケース２１およびロアーケース２２で囲まれたスペース（電池スタック１１〜１５の収容スペース）に移動する。
【００７４】
分岐ダクト５１を通過する空気は、電池スタック１１に導かれる。電池スタック１１に導かれた空気は、吸気チャンバ１１４に沿って移動する。ここで、空気は、電池スタック１１の両端に向かって移動する。また、空気は、電池スタック１１の配列方向に沿って移動するとともに、隣り合う２つの単電池１１１の間に形成されたスペースに進入する。空気および単電池１１１の間で熱交換が行われることにより、単電池１１１の温度が調節される。熱交換後の空気は、排気チャンバ１１５に移動し、電池スタック１１の両端に設けられた排気口１１５ａから排出される。排気口１１５ａから排出された空気は、アッパーケース２１およびロアーケース２２で囲まれたスペースに移動する。
【００７５】
分岐ダクト５２から電池スタック１２に導かれた空気は、吸気チャンバ内で電池スタック１２の両端に向かって移動するとともに、隣り合う２つの単電池の間に形成されたスペースに移動する。ここで、単電池との間で熱交換が行われた空気は、排気チャンバに移動し、電池スタック１２の両端に設けられた排気口から排出される。電池スタック１２の排気口から排出された空気は、アッパーケース２１およびロアーケース２２で囲まれたスペースに移動する。
【００７６】
分岐ダクト５３から電池スタック１３に導かれた空気は、吸気チャンバ内で電池スタック１３の両端に向かって移動するとともに、隣り合う２つの単電池の間に形成されたスペースに移動する。ここで、単電池との間で熱交換が行われた空気は、排気チャンバに移動し、電池スタック１３の両端に設けられた排気口から排出される。電池スタック１３の排気口から排出された空気は、アッパーケース２１およびロアーケース２２で囲まれたスペースに移動する。
【００７７】
分岐ダクト５４から電池スタック１４に導かれた空気は、吸気チャンバ内で電池スタック１４の両端に向かって移動するとともに、隣り合う２つの単電池の間に形成されたスペースに移動する。ここで、単電池との間で熱交換が行われた空気は、排気チャンバに移動し、電池スタック１４の両端に設けられた排気口から排出される。電池スタック１４の排気口から排出された空気は、アッパーケース２１およびロアーケース２２で囲まれたスペースに移動する。電池スタック１３の排気チャンバと、電池スタック１４の排気チャンバとは、車両１００の前後方向において向かい合っている。
【００７８】
パックケース２０の内部に存在する空気（熱交換後の空気）は、排気ダクト１０６に導かれて、パックケース２０の外部に移動する。排気ダクト１０６に進入した空気は、排気ダクト１０６に沿って移動し、排気口１０６ｂ（図１参照）から車両１００の外部に排出される。
【００７９】
本実施例では、図１１を用いて説明したように、ブラケット８２ａと、台座８０と、ブラケット８２ｂ，８２ｃとを介して、シールド線６１を接地させることができる。ここで、シールド線６１をリンフォースメント２２２ａ，２２２ｂまで延ばすこともできるが、この場合には、シールド線６１の配線が複雑になってしまう。本実施例では、ブラケット８２ａ〜８２ｃおよび台座８０を用いて、シールド線６１の接地経路を形成することにより、シールド線６１を短くすることができる。
【００８０】
また、台座８０は、電池スタック１５と、電池スタック１１〜１４との間に配置されているため、熱を持ちやすくなる。すなわち、台座８０が配置されるスペースは、電池スタック１５と電池スタック１１〜１４とによって挟まれたスペースであり、熱が留まりやすいスペースとなる。例えば、各電池スタック１１〜１４で発生した熱が上昇して、台座８０に到達することにより、台座８０に熱が留まることがある。また、台座８０の下方には、電子機器６０が配置されているため、電子機器６０で発生した熱が上昇して、台座８０に到達することがある。台座８０に熱が留まったままでは、台座８０の熱によって、電池スタック１１〜１５が悪影響を受けてしまうおそれがある。
【００８１】
本実施例において、台座８０は、ブラケット８２ｂ，８２ｃを介して、ロアーケース２２のフレーム２２２（リンフォースメント２２２ａ，２２２ｂ）に接続されているため、台座８０の熱を、フレーム２２２に逃がすことができる。フレーム２２２に伝達した熱は、大気中に放出させることができる。これにより、台座８０に熱が留まるのを防止することができる。本実施例では、台座８０、ブラケット８２ｂ、８２ｃおよびフレーム２２２によって、放熱経路を形成することができるため、パックケース２０の内部に存在する熱をパックケース２０の外部に放出させることができる。
【００８２】
ここで、図１１に示すように、ブラケット８２ｂ，８２ｃは、台座８０の長手方向（ＦＲ方向）における中央部に位置しているとともに、各電池スタック１１〜１３の長手方向（ＲＨ方向）における中央部に位置している。ブラケット８２ｂ，８２ｃが配置される位置は、パックケース２０内のスペースの中央部に相当し、最も熱が逃げ難い位置となる。この位置にブラケット８２ｂ，８２ｃを配置することにより、パックケース２０の内部に存在する熱を、ブラケット８２ｂ，８２ｃを介して、パックケース２０の外部に効率良く放出させることができる。
【００８３】
また、図１０に示すように、電池スタック１１の上方には、電池監視ユニット４０が配置されるが、電池スタック１１を挟む位置にブラケット８２ｂ，８２ｃを配置することにより、電池監視ユニット４０の周囲に存在する熱を、ブラケット８２ｂ，８２ｃを介してパックケース２０の外部に放出させることができる。これにより、電池監視ユニット４０の温度上昇を抑制することができる。
【００８４】
本実施例では、ブラケット８２ａ〜８２ｃを用いて、台座８０をロアーケース２２に固定しているが、これに限るものではない。例えば、台座８０をアッパーケース２１に固定することもできる。この場合には、フレーム２２２に相当する部材をアッパーケース２１に設ける必要がある。
【００８５】
一方、本実施例のように、センタートンネル１０１ａの内側に電池スタック１５を配置することにより、より多くの数の電池スタック１１〜１５によって電池パック１を構成することができる。センタートンネル１０１ａは、運転席および助手席の間に位置しているため、センタートンネル１０１ａを設けても、車室内の居住性に悪影響を与えることもない。
【００８６】
また、電池スタック１５をセンタートンネル１０１ａ内に配置するとともに、電子機器６０および電池スタック１１〜１４を、同一面内に配置することにより、フロアパネル１０１に沿って電池パック１を配置することができる。言い換えれば、電池パック１を車両１００の外面に沿って効率良く配置でき、電池パック１が車両１００の上下方向において大型化するのを防止することができる。
【００８７】
本実施例では、フロアパネル１０１のセンタートンネル１０１ａに、１つの電池スタック１５を配置しているが、これに限るものではない。例えば、複数の電池スタックを、センタートンネル１０１ａに配置することができる。センタートンネル１０１ａ内に配置される複数の電池スタックは、車両１００の前後方向に並んでいてもよいし、車両１００の左右方向に並んでいてもよい。一方、電池スタック１５の全体が、センタートンネル１０１ａの内側に位置している必要はなく、電池スタック１５の一部だけを、センタートンネル１０１ａの内側に位置させることができる。
【００８８】
本実施例では、図１２で説明したように、２つの組電池９１，９２を電気的に並列に接続しているが、これに限るものではない。例えば、組電池９１，９２を直列に接続することができる。また、電池スタック１１〜１５を用いて３つ以上の組電池を構成し、これらの組電池を電気的に並列に接続することもできる。一方、本実施例では、車両１００の外部に存在する空気を電池パック１に供給しているが、車室内の空気を電池パック１に供給することができる。また、空気の代わりに、他の冷却媒体（気体）を用いることもできる。
【００８９】
本実施例では、電池スタック１５の下方に、４つの電池スタック１１〜１４を配置しているが、これに限るものではない。具体的には、電池スタック１５の下方に配置される電池スタックの数は、１つ以上とすることができる。また、本実施例では、上方から見たときに（図１４参照）、電池スタック１５と、各電池スタック１１〜１４とは、互いに直交するように配置しているが、これに限るものではない。電池スタック１５と、各電池スタック１１〜１４とは、互いに交差するように配置することができる。また、電池スタック１５の下方に配置される電池スタックを、電池スタック１５と同一方向に並べて配置することもできる。
【００９０】
このように、少なくとも２つの電池スタックを上下方向に並べて配置する構成では、隣り合う２つの電池スタックの間に、本実施例で説明した台座８０やブラケット８２ｂ、８２ｃを配置することができる。これにより、上方に位置する電池スタックを台座８０によって支持することができるとともに、台座８０等を用いて放熱経路を形成することができる。
【符号の説明】
【００９１】
１：電池パック（蓄電装置）
１１〜１４：電池スタック（第２蓄電スタック）
１５：電池スタック（第１蓄電スタック）
１１０：バスバーモジュール                  １１１，１５１：単電池（蓄電素子）
１１１ａ，１３１ａ：正極端子                １１１ｂ，１３１ｂ：負極端子
１１２，１５２：エンドプレート              １１３，１５３：拘束バンド
１１４，１５４：吸気チャンバ                １１５，１５５：排気チャンバ
１１６：ブラケット                          １００：車両
１０１：フロアパネル                        １０２：吸気ダクト
１０６：排気ダクト                          ２０：パックケース
２１：アッパーケース                        ２２：ロアーケース
２２１：ロアキャリア                        ２２２：フレーム（補強フレーム）
３０：ブラケット                            ４０：電池監視ユニット
５１〜５４：分岐ダクト                      ６０：電子機器
６１：シールド線                            ７０：ワイヤーハーネス
７１：電流遮断器                            ８０：台座（支持部材）
８２ａ〜８２ｃ：ブラケット（支持部材）      ９１，９２：組電池
【図１】
0005321554.tif 000002
【図２】
0005321554.tif 000003
【図３】
0005321554.tif 000004
【図４】
0005321554.tif 000005
【図５】
0005321554.tif 000006
【図６】
0005321554.tif 000007
【図７】
0005321554.tif 000008
【図８】
0005321554.tif 000009
【図９】
0005321554.tif 000010
【図１０】
0005321554.tif 000011
【図１１】
0005321554.tif 000012
【図１２】
0005321554.tif 000013
【図１３】
0005321554.tif 000014
【図１４】
0005321554.tif 000015
【図１５】
0005321554.tif 000016